(57)【要約】【課題】転舵輪に向かって摺動変位するドアと転舵輪とが接触することを回避すること。【解決手段】車両は、車室の内外を連通させるフロントドア開口部と、車両前後方向へ摺動変位（スライド）することでフロントドア開口部を開閉するフロントスライドドアと、前輪とフロントスライドドアとの接触を回避する接触回避手段３４とを備え、フロントスライドドアをドア閉状態から前輪に向かって接近する方向に摺動変位させようとするときに、転舵量検出手段３０が、車両の前後軸に対して所定以上の舵角Ｔを検出した場合、接触回避手段３４は、制御対象に対して制御信号を出力して接触回避制御を行なう。【選択図】図２
2016147508.tif 000002
【特許請求の範囲】
【請求項１】
転舵可能な転舵輪と、前記転舵輪の転舵量を検出する転舵量検出手段とを有する車両制御装置であって、
前記車両は、
車室の内外を連通させるドア開口部と、
車両前後方向へ摺動変位することで前記ドア開口部を開閉するドアと、
前記転舵輪と前記ドアとの接触を回避する接触回避手段と、
を備え、
前記ドアが閉状態にあるとき、前記転舵輪と前記ドアとは、車両前後方向でオフセットするように配置され、
前記ドアを前記ドア閉状態から前記転舵輪に向かって接近する方向に摺動変位させようとするときに、前記転舵量検出手段が、前記車両の前後軸に対して所定以上の転舵量を検出した場合、前記接触回避手段は、接触回避制御を行ない、
前記所定以上の転舵量とは、前記転舵輪が前記ドアの摺動変位軌道上に位置しているときの前記転舵輪の舵角であることを特徴とする車両制御装置。
【請求項２】
請求項１記載の車両制御装置において、
前記ドアは、前記車両に対して前記ドアを係止すると共に、前記係止状態を解除するドア係止・解除手段を有し、
前記接触回避手段は、前記ドア係止・解除手段による前記ドアの係止解除を禁止することを特徴とする車両制御装置。
【請求項３】
請求項１又は請求項２記載の車両制御装置において、
前記車両は、ユーザが視認可能な発光光を発光させる発光手段を備え、
前記接触回避手段は、前記発光手段を発光させることを特徴とする車両制御装置。
【請求項４】
請求項１記載の車両制御装置において、
前記車両は、前記ドアの開閉状態を検知するドア開閉状態検知手段を備え、
前記ドア開閉状態検知手段によって前記ドアが開状態にあると検知されたとき、前記接触回避手段は、接触回避制御を行なうことを特徴とする車両制御装置。
【請求項５】
請求項４記載の車両制御装置において、
前記転舵輪と前記ドアとの少なくとも一部が車幅方向で重畳するとき、前記接触回避手段は、前記転舵輪の転舵を禁止することを特徴とする車両制御装置。
【発明の詳細な説明】
【技術分野】
【０００１】
本発明は、転舵輪の転舵量を検出する転舵量検出手段を有する車両制御装置に関する。
【背景技術】
【０００２】
例えば、特許文献１には、車両後方に向かってスライドするリヤドアと、車両前方に向かってスライドするフロントドアとを備えた車両が開示されている。
【０００３】
一般的に、車両のドア開口部を開閉するスライド式ドアは、ヒンジ式ドアと比較して、開放スペースが少ない周囲環境でも開放することができる、という利点がある。このため、車両の外部に障害物が存在する場合であっても、その障害物との接触を回避してスライド開放することが可能となり、フロントドアに対してスライド式ドアを適用することが検討されている。
【先行技術文献】
【特許文献】
【０００４】
【特許文献１】独国実用新案出願公開第２０３１０５３３号明細書
【発明の概要】
【発明が解決しようとする課題】
【０００５】
ところで、通常の２輪操舵（２ＷＳ）の車両では、後輪が舵角を有することが無いため、後輪が車体のタイヤハウスから側方に向かって突出することが回避される。このため、スライド式リヤドアを車両後方に向かってスライドさせた場合、後輪とスライド式リヤドアとが接触することはない。例えば、図４（ａ）は、大型の単一のスライドドア１を車両後方側にスライドさせた状態を示し、図４（ｃ）は、ドアをスライド式フロントドア２ａとスライド式リヤドア２ｂに分割構成し、スライド式リヤドア２ｂを車両後方側にスライドさせた状態を示している。
【０００６】
これに対して、前輪は、その転舵によって舵角を有する場合がある。このため、例えば、大きな転舵が必要とされる狭所への駐車後に、前輪が大きな舵角を保持したままの状態でスライド式フロントドアを車両前方に向かってスライドさせた場合、スライド式フロントドアと前輪とが接触するおそれがある。例えば、図４（ｂ）は、分割構成されたスライド式フロントドア２ａを、転舵していない前輪３側にスライドさせた状態を示し、図４（ｄ）は、分割構成されたスライド式フロントドア２ａを前輪４側にスライドさせた際、転舵量が大きい前輪４とスライド式フロントドア２ａとが接触した状態を示している。
【０００７】
本発明は、前記の点に鑑みてなされたものであり、転舵輪に向かって摺動変位するドアと転舵輪とが接触することを回避することが可能な車両制御装置を提供することを目的とする。
【課題を解決するための手段】
【０００８】
前記の目的を達成するために、本発明は、転舵可能な転舵輪と、前記転舵輪の転舵量を検出する転舵量検出手段とを有する車両制御装置であって、前記車両は、車室の内外を連通させるドア開口部と、車両前後方向へ摺動変位することで前記ドア開口部を開閉するドアと、前記転舵輪と前記ドアとの接触を回避する接触回避手段と、を備え、前記ドアが閉状態にあるとき、前記転舵輪と前記ドアとは、車両前後方向でオフセットするように配置され、前記ドアを前記ドア閉状態から前記転舵輪に向かって接近する方向に摺動変位させようとするときに、前記転舵量検出手段が、前記車両の前後軸に対して所定以上の転舵量を検出した場合、前記接触回避手段は、接触回避制御を行ない、前記所定以上の転舵量とは、前記転舵輪が前記ドアの摺動変位軌道上に位置しているときの前記転舵輪の舵角であることを特徴とする。
【０００９】
本発明によれば、ドアを転舵輪に向かって摺動変位させようとするとき、転舵輪が所定以上の転舵量を有していると、接触回避手段は接触回避制御を行なうため、転舵輪が車幅方向外側に向かって突出していても、ドアと転舵輪とが接触することが回避されドア及び転舵輪の両方の損傷を防止することができる。これにより、本発明では、開放スペースが少ない周囲環境であってもドアを円滑に開放すること、及び、ドア及び転舵輪の損傷を防止することを両立させることができる。
【００１０】
なお、「所定の転舵量」とは、通常のユーザが「タイヤを略真っ直ぐに戻した状態」と認識することが可能な舵角で、例えば、車両の前後軸に対して平行となる舵角０度に対して±５度の範囲（舵角０度±５度）で設定される。
【００１１】
また、本発明によれば、転舵輪が所定未満の舵角を有してドアの摺動変位軌道上に位置していないときは、ドアを転舵輪の方向に向かって摺動変位させて開放することができる。これに対して、転舵輪が所定以上の舵角を有してドアの摺動変位軌道上に位置しているときには、接触回避手段が接触回避制御を行なうことで、ドアと転舵輪との接触の可能性が高いときにのみドアと転舵輪との接触を回避することができる。これにより、所定未満の舵角を有するときにドアが開放可能となり、ドアを開放することができる範囲が増大して利便性を向上させることができる。
【００１２】
さらに、本発明は、前記ドアが、前記車両に対して前記ドアを係止すると共に、前記係止状態を解除するドア係止・解除手段を有し、前記接触回避手段は、前記ドア係止・解除手段による前記ドアの係止解除を禁止することを特徴とする。
【００１３】
本発明によれば、接触回避手段が接触回避制御を行なうと、ドア係止・解除手段によるドアの係止解除が禁止されるため、ドアが転舵輪側に向かって開放されることがなく、ドアと転舵輪の両方が損傷することを防止することができる。
【００１４】
さらにまた、本発明は、前記車両が、ユーザが視認可能な発光光を発光させる発光手段を備え、前記接触回避手段は、前記発光手段を発光させることを特徴とする。
【００１５】
本発明によれば、例えば、車両の周囲が騒がしい環境にある場合であっても、ユーザが発光手段の発光光を視認することで、接触回避手段が接触回避制御を行なったことをユーザに認識させることができる。
【００１６】
さらにまた、本発明は、前記車両が、前記ドアの開閉状態を検知するドア開閉状態検知手段を備え、前記ドア開閉状態検知手段によって前記ドアが開状態にあると検知されたとき、前記接触回避手段は、接触回避制御を行なうことを特徴とする。
【００１７】
本発明によれば、ドア開閉状態検知手段によってドアが開状態にあると検知されたとき、接触回避手段は、接触回避制御を行なうことで、ドアが転舵輪側に向かって開放されることがなく、ドアと転舵輪の両方が損傷することを防止することができる。
【００１８】
さらにまた、本発明は、前記転舵輪と前記ドアとの少なくとも一部が車幅方向で重畳するとき、前記接触回避手段は、前記転舵輪の転舵を禁止することを特徴とする。
【００１９】
本発明によれば、転舵輪とドアとの少なくとも一部が車幅方向で重畳する場合、接触回避手段によって転舵輪の転舵が禁止されて転舵輪が転舵しないため、転舵輪とドアとの接触を回避することができる。
【発明の効果】
【００２０】
本発明では、転舵輪に向かって摺動変位するドアと転舵輪とが接触することを回避することが可能な車両制御装置を得ることができる。
【図面の簡単な説明】
【００２１】
【図１】本発明の実施形態に係る車両制御装置が組み込まれた車両の側面図である。
【図２】本発明の実施形態に係る車両制御装置の制御部の構成を示すブロック図である。
【図３】フロントスライドドアと前輪との衝突を回避するための制御フローチャートである。
【図４】（ａ）〜（ｄ）は、従来技術において、スライドドアと車輪との関係を示す説明図である。
【発明を実施するための形態】
【００２２】
次に、本発明の実施形態について、適宜図面を参照しながら詳細に説明する。図１は、本発明の実施形態に係る車両制御装置が組み込まれた車両の側面図である。なお、各図中において、「前後」は、車両前後方向、「左右」は、車幅方向（左右方向）、「上下」は、車両上下方向をそれぞれ示している。
【００２３】
図１に示されるように、車両１０は、車両前後方向に沿った略中央部に立設し、上端がルーフ部１２に連結され、下端がサイドシル１４に連結されたセンタピラ１６を有する。センタピラ１６の車両前方には、車室の内外を連通させるフロントドア開口部（ドア開口部）１８と、車両前後方向へ摺動変位（スライド）することでフロントドア開口部１８を開閉するフロントスライドドア（ドア）２０と、図示しないステアリング装置の操作によって転舵可能な前輪（転舵輪）２２とが配置されている。
【００２４】
センタピラ１６の車両後方には、車室の内外を連通させるリヤドア開口部２４と、車両前後方向へ摺動変位（スライド）することでリヤドア開口部２４を開閉するリヤスライドドア２６と、後輪２８とが配置されている。
【００２５】
なお、図１は、フロントスライドドア２０及びリヤスライドドア２６がそれぞれ閉状態から摺動変位して、フロントドア開口部１８及びリヤドア開口部２４が、それぞれ開放された開状態を示している。また、フロントスライドドア２０が閉状態にあるとき、前輪２２とフロントスライドドア２０とは、車両前後方向でオフセットするように配置されている。
【００２６】
車両１０には、ステアリングホイールに結合された操舵軸と、転舵輪を転舵させる転舵機構とが機械的に分離され、ステアリング装置に設けられたステアリングモータを操舵装置から電気的に制御するいわゆるステアバイワイヤ方式が適用されている。なお、車両１０は、ステアバイワイヤ方式に限定されるものではなく、操舵軸と転舵機構とが機械的に連結された従来のようなステアリング方式を用い、機械的ロック機構等によって対応するようにしてもよい。
【００２７】
また、本実施形態では、前輪２２を転舵輪として説明しているが、これに限定されるものではなく、例えば、前輪２２及び後輪２８の両方をそれぞれ転舵輪とする４輪操舵車両に適用することも可能である。
【００２８】
図２は、本発明の実施形態に係る車両制御装置の制御部の構成を示すブロック図である。
車両１０は、前輪２２の舵角（転舵量）を検出する転舵量検出手段３０と、転舵量検出手段３０が検出した舵角が入力される制御部３２とを備えている。制御部３２は、後記する制御対象に対して制御信号を出力して、前輪２２とフロントスライドドア２０との接触を回避する制御（接触回避制御）を行なう接触回避手段３４を有する。
【００２９】
また、制御部３２には、フロントスライドドア２０の開閉状態を検知するドア開閉状態検知手段３６と、電動ドアロック機構３９を有するドア係止・解除手段３８と、ドア駆動手段４０と、アラーム音発生手段４２と、発光手段４４と、及び、ハンドルロック機構４８を有するステアリング装置４６とが電気的接続されている。これらのドア開閉状態検知手段３６、電動ドアロック機構３９を有するドア係止・解除手段３８、ドア駆動手段４０、アラーム音発生手段４２、発光手段４４、及び、ハンドルロック機構４８を有するステアリング装置４６は、制御部３２から出力される制御信号によって接触回避制御を行なう制御対象として機能する。
【００３０】
制御部３２は、ＣＰＵ（Central Processing Unit）、ＲＯＭ(Read Only Memory)、ＲＡＭ(Random Access Memory)及び所定の電気回路を備えたＥＣＵ（電子制御装置）によって構成されている。制御部３２は、例えば、信号伝達ケーブルであるハーネスやＣＡＮ（Controller Area Network）等の無線ＬＡＮを介して、ドア開閉状態検知手段３６、ドア係止・解除手段３８、電動ドアロック機構３９、ドア駆動手段４０、アラーム音発生手段４２、発光手段４４、ステアリング４６装置４６、及び、ハンドルロック機構４８と電気的に接続されている。
【００３１】
転舵量検出手段３０は、例えば、ステアリング装置４６によって転舵される前輪２２の転舵量を検出する転舵量センサや、前輪２２のタイヤがタイヤハウスからどれだけ車幅方向に突出しているかを直接的に検出する突出量センサによって構成される。
【００３２】
転舵量センサとしては、例えば、ステアリングモータの回転運動がボールねじ軸により直線運動に変換され、この直線運動が伝達されるラック軸のスライド量（ストローク量）を検出するラック位置センサや、ステアリングモータの回転角を検出する回転角度センサ等が挙げられる。具体的には、例えば、リニアエンコーダやポテンショメータが用いられるとよい。
【００３３】
また、突出量センサとしては、例えば、フロントスライドドア２０側に装着されて前輪２２のタイヤの突出量を検出する機械式の近接センサが挙げられる。また、フロントスライドドア２０の前方端に装着されて前輪２２のタイヤと接触してセンサが押し潰されることで通電するケーブル状の挟み込みセンサを応用することで突出量を検出するようにしてもよい。
【００３４】
ドア開閉状態検知手段３６は、例えば、ストライカに対してラッチがロック状態にあるときにフロントスライドドア２０の閉状態と検知し、ストライカに対してラッチがロック解除状態（ラッチ解除状態）にあるときにフロントスライドドア２０の開状態と検知する。
【００３５】
ドア係止・解除手段３８は、例えば、ラッチ、ストライカ及び電動ドアロック機構３９によって構成されるものである。ユーザによるドア解除レバーの手動操作やパワースライドドアのドア開スイッチをＯＦＦからＯＮへの切換操作によりロック状態が解除されてフロントスライドドア２０が開放される。但し、本実施形態では、後記するように、前輪２２の舵角Ｔが０度よりも大きい場合、電動ドアロック機構３９が作動してフロンドスライドドア２０がロック状態に保持されているため、ユーザがドア解除レバーを手動操作してもフロントスライドドア２０の開放が阻止されるように構成されている。
【００３６】
ドア駆動手段４０は、例えば、パワースライドドア装置として構成され、パワースライドドア装置を作動させるためユーザによるドア開スイッチのＯＦＦからＯＮへの切換操作によってフロントスライドドア２０の開閉動作が自動的に行なわれる。
【００３７】
アラーム音発生手段４２は、ユーザ（運転者）に対して、例えば、車内に搭載されたスピーカから音声やブザー等で伝達する。また、発光手段４４は、発光光を発光することが可能な光源からなり、例えば、ヘッドライト、ハザードランプ、室内灯、複数のＬＥＤが配置された液晶表示部、赤ランプ等によって構成される。発光手段４４は、ユーザ（運転者）に対して、例えば、ＬＥＤの点滅や赤ランプの点滅等で伝達する。
【００３８】
ステアリング装置４６は、ユーザによるステアリングハンドルの回動操作によって前輪２２を転舵させるものである。このステアリング装置４６は、制御部３２からの制御信号に基づいてステアリングハンドルの回動操作ができないようにステアリングハンドルをロック状態とするハンドルロック機構４８を有する。このハンドルロック機構４８が作動することで、後記するようにステアリングハンドルの回動操作が禁止される。
【００３９】
本実施形態に係る車両制御装置が適用された車両１０は、基本的に以上のように構成されるものであり、次にその作用効果について説明する。
【００４０】
図３は、フロントスライドドアと前輪との衝突を回避するための制御フローチャートである。
【００４１】
この制御フローチャートは、例えば、車両１０がドア駆動手段４０としてパワースライドドア装置を備えている場合、ユーザがパワースライドドア装置を作動させるためにドア開スイッチをＯＦＦからＯＮに切換操作したときをトリガーとして開始される。また、ユーザが手動操作によってフロントスライドドア２０を閉状態から開状態に切り換える場合、ユーザがフロントスライドドア２０を開けるためにドア解除レバーを手動操作しても電動ドアロック機構３９の作動によってフロントスライドドア２０は閉状態に保持されている。従って、パワースライドドア装置を備えていない手動操作の場合には、ユーザのステアリングハンドル操作によって前輪２２の舵角が０度よりも大きくなったときをトリガーとして制御フローチャートが開始される。
【００４２】
先ず、ドア開閉状態検知手段３６によって、フロントスライドドア２０が閉状態にあるか否かが検知される（ステップＳ１）。ドア開閉状態検知手段３６は、ストライカに対してラッチが保持されたロック状態でフロントスライドドア２０が閉状態であることを検知したとき（ステップＳ１→Ｙｅｓ）、ステップＳ２に進む。
【００４３】
ステップ２において、転舵量検出手段３０は、前輪２２の転舵量である舵角Ｔを検出し、この検出信号を制御部３２に出力する。制御部３２では、転舵量検出手段３０で検出された舵角Ｔが、予め設定された所定値以上（Ｔ≧所定値）であるか否かを判断する。
【００４４】
制御部３２は、転舵量検出手段３０で検出された前輪２２の舵角Ｔが所定値以上（Ｔ≧所定値）であると判断したとき（ステップＳ２→Ｎｏ）、ステップＳ３に進む。この所定値は、通常のユーザが「タイヤを略真っ直ぐに戻した状態」と認識することが可能な舵角で、例えば、車両１０の前後軸に対して平行となる舵角０度に対して±５度の範囲（舵角０度±５度）で設定されることが好ましい。前輪２２の舵角が０度でなく、ある程度の舵角を有する場合でも、前輪２２との接触を回避することができるからである。
【００４５】
ステップＳ３において、ユーザ（ドライバ）が閉状態からフロントスライドドア２０を前輪２２の方向に向かって摺動変位させようとする場合、接触回避手段３４は、制御対象に制御信号を出力して接触回避制御を行なう。例えば、接触回避手段３４は、アラーム音発生手段４２に制御信号を導出し、例えば、音声やブザー等の音で、ユーザにフロントスライドドア２０が前輪２２に対して接触する可能性があることを認識させる。また、接触回避手段３４は、発光手段４４に制御信号を導出し、例えば、ＬＥＤや赤ランプを点滅させることで、ユーザにフロントスライドドア２０が前輪２２に対して接触する可能性があることを認識させる。さらに、接触回避手段３４は、ドア係止・解除手段３８の電動ドアロック機構３９にロック信号（制御信号）を導出して、フロントスライドドア２０の開放操作（摺動変位）を禁止する。これにより、フロントスライドドア２０が閉状態であるときの接触回避制御を終了する。
【００４６】
一方、制御部３２は、前輪２２の舵角Ｔが所定値未満（Ｔ＜所定値）であると判断したとき（ステップＳ２→Ｙｅｓ）、フロントスライドドア２０を前輪２２側に向かって摺動変位させても前輪２０と接触する可能性がなく、フロントスライドドア２０が開放可能な状態となる（ステップＳ４）。
【００４７】
さらに、ステップＳ１において、ドア開閉状態検知手段３６は、ストライカに対してラッチがロックされていないロック解除状態でフロントスライドドア２０が開状態（一部開状態であるか全部開状態であるかを問わない）であることを検知したとき（ステップＳ１→Ｎｏ）、ステップＳ５に進む。
【００４８】
ステップＳ５において、ユーザ（ドライバ）がステアリングハンドルを所定方向に回動させようとする場合、接触回避手段３４は、制御対象に制御信号を出力して接触回避制御を行なう。例えば、接触回避手段３４は、アラーム音発生手段４２に制御信号を導出し、音声やブザー等の音で、ユーザにフロントスライドドア２０が前輪２２に対して接触する可能性があることを認識させる。また、接触回避手段３４は、発光手段４４に制御信号を導出し、例えば、ＬＥＤや赤ランプを点滅させることで、ユーザにフロントスライドドア２０が前輪２２に対して接触する可能性があることを認識させる。さらに、接触回避手段３４は、ステアリング装置４６のハンドルロック機構４８にハンドルロック信号（制御信号）を導出して、ステアリングハンドルの回動操作を禁止して、ステップＳ４に進む。
【００４９】
このように本実施形態では、ドア開閉状態検知手段３６によりフロントスライドドア２０の閉状態又は開状態に応じて、フロントスライドドア２０の開放操作を禁止し、又は、ステアリングハンドルの回動操作を禁止する接触回避制御を行なうことで、前輪２２に対してフロントスライドドア２０が接触することを回避することができる。
【００５０】
なお、図３の制御フローチャートでは、ドア開閉状態検知手段３６によってフロントスライドドア２０が開状態であると検知された場合（ステップ１→Ｎｏ）、ユーザがステアリングハンドルの操作をしようとしたときにその操作を禁止しているが（ステップＳ５）、ステアリングハンドルの操作を禁止する前に転舵量検出手段３０によって前輪２２の舵角Ｔを検出し、前輪２２の舵角Ｔがこの舵角Ｔよりも大きくならないように接触回避制御を行なうようにしてもよい。前輪２２の舵角Ｔが所定値未満（Ｔ＜所定値）でフロントスライドドア２０を前輪２２側に摺動変位させた場合であっても、前輪２２と接触する蓋然性が低く接触回避制御を行なう必要がないからである。
【００５１】
本実施形態では、フロントスライドドア２０を前輪２２に向かって摺動変位させようとするとき、前輪２２が所定以上の舵角Ｔを有していると、接触回避手段３４はフロントスライドドア２０の開放操作を禁止するため、前輪２２が車幅方向外側に向かって突出していても、フロントスライドドア２０と前輪２２とが接触することが回避されフロントスライドドア２０及び前輪２２の両方の損傷を防止することができる。これにより、本実施形態では、開放スペースが少ない周囲環境であってもフロントスライドドア２０を円滑に開放すること、及び、フロントスライドドア２０及び前輪２２の損傷を防止することを両立させることができる。
【００５２】
また、本実施形態では、前輪２２が所定未満の舵角Ｔを有してフロントスライドドア２０の摺動変位軌道上に位置していないときは、フロントスライドドア２０を前輪２２側の方向に向かって摺動変位させて開放することができる。これに対して、前輪２２が所定以上の舵角Ｔを有してフロントスライドドア２０の摺動変位軌道上に位置しているときには、接触回避手段３４が接触回避制御を行なうことで、フロントスライドドア２０と前輪２２との接触の可能性が高いときにのみフロントスライドドア２０と前輪２２との接触を回避することができる。これにより、所定未満の舵角Ｔを有するときにフロントスライドドア２０が開放可能となり、フロントスライドドア２０を開放することができる範囲が増大して利便性を向上させることができる。
【００５３】
さらに、本実施形態では、接触回避手段３４が接触回避制御を行なうと、ドア係止・解除手段３８によるフロントスライドドア２０のロック解除が禁止されるため、フロントスライドドア２０が前輪２２側に向かって開放されることがなく、フロントスライドドア２０と前輪２２の両方が損傷することを防止することができる。
【００５４】
さらにまた、本実施形態では、接触回避手段３４が接触回避制御を行なうと、ドア駆動手段４０の作動が禁止されるため、フロントスライドドア２０が前輪２２側に向かって自動で摺動変位することがなく、フロントスライドドア２０と前輪２２の両方が損傷することを防止することができる。
【００５５】
さらにまた、本実施形態では、ユーザの視線がどこを向いていても、アラーム音発生手段４２から発生する音により接触回避手段３４が接触回避制御を行なったことをユーザに認識させることができる。
【００５６】
さらにまた、本実施形態では、例えば、車両１０の周囲が騒がしい環境にある場合であっても、ユーザが発光手段４４の発光光を視認することで、接触回避手段３４が接触回避制御を行なったことをユーザに認識させることができる。
【００５７】
さらにまた、本実施形態では、接触回避手段３４が接触回避制御を行なった場合であっても、例えば、ドライバがステアリングハンドルを元の位置に戻すハンドル操作等を行なって転舵量検出手段３０によって検出される前輪２２の舵角Ｔが所定未満となったとき、接触回避手段３４は、その接触回避制御を停止し、前輪２２に接触することなくフロントスライドドア２０を摺動変位させることができる。
【００５８】
さらにまた、本実施形態では、ドア開閉状態検知手段３６によってフロントスライドドア２０が開状態にあると検知されたとき、接触回避手段３４は、接触回避制御を行なうことでステアリングハンドルの回動操作が禁止され、フロントスライドドア２０と前輪２２の両方が損傷することを防止することができる。
【００５９】
さらにまた、本実施形態では、前輪２２とフロントスライドドア２０との少なくとも一部が車幅方向で重畳する場合、接触回避手段３４によって前輪２２の転舵が禁止されて前輪２２が転舵しないため、前輪２２とフロントスライドドア２０との接触を回避することができる。
【符号の説明】
【００６０】
１０    車両
１８    フロントドア開口部（ドア開口部）
２０    フロントスライドドア（ドア）
２２    前輪（転舵輪）
３０    転舵量検出手段
３４    接触回避手段
３６    ドア開閉状態検知手段
３８    ドア係止・解除手段
４４    発光手段
Ｔ      舵角
【図１】
2016147508.tif 000003
【図２】
2016147508.tif 000004
【図３】
2016147508.tif 000005
【図４】
2016147508.tif 000006